(57)【要約】【課題】操作の際に手袋を外す手間がなく、同一の操作で複数種類の処理を実行できる情報表示装置を提供する。【解決手段】ユーザが、指で圧力センサ(３)を、設定値以上の圧力で押圧すると、指圧力判断部(１２２)は、指の圧力が設定値以上であると判断する。選択マーク押圧方向移動部(１３２)は、選択マークを、現在付されている操作キーから、指の押圧方向に位置する操作キーに移動させる。ユーザは、所望の操作キーを選択した後、圧力センサ(３)から指を離すと、指圧力判断部(１２２)は、指の圧力が設定値よりも小さいと判断する。選択マーク実行部(１３５)は、この選択された操作キーに対応する処理を実行する。【選択図】図２
2014095942.tif 000002
【特許請求の範囲】
【請求項１】
筺体と、
上記筺体の表面に配置されると共に、複数の操作キーを表示する表示部と、
上記筺体の側面に配置される圧力センサと、
上記圧力センサに指から圧力が加えられたとき、上記圧力センサからの信号に基づいて、上記指の圧力を求める指圧力検出部と、
上記指圧力検出部によって求められた上記指の圧力が、予め定められた設定値以上であるか否かを判断する指圧力判断部と、
上記指圧力判断部によって上記指の圧力が上記設定値以上であると判断されているとき、上記複数の操作キーのうちの一つの操作キーに付されてこの一つの操作キーが選択されていることを示す選択マークを、現在付されている操作キーから、上記指の押圧方向に位置する操作キーに、移動させる選択マーク押圧方向移動部と、
上記選択マークによって操作キーが選択された状態で、上記指圧力判断部によって上記指の圧力が上記設定値よりも小さいと判断されたとき、上記選択された操作キーに対応する処理を実行する選択マーク実行部と
を備えることを特徴とする情報表示装置。
【請求項２】
請求項１に記載の情報表示装置において、
上記指圧力判断部によって上記指の圧力が上記設定値以上であると判断されているとき、上記指を上記筺体の側面に沿って上記圧力センサ上で移動させると、上記選択マークを、現在の操作キーから、上記指の上記筺体側面に沿った移動方向に位置する操作キーに、移動させる選択マーク側面方向移動部を
備えることを特徴とする情報表示装置。
【請求項３】
請求項１または２に記載の情報表示装置において、
上記圧力センサに指から圧力が加えられたとき、上記圧力センサからの信号に基づいて、上記指の上記筺体側面に沿った方向の位置を求める指位置検出部と、
上記指位置検出部によって求められた上記指の位置に対応する位置にある操作キーを判断する操作キー位置判断部と、
上記指圧力判断部によって上記指の圧力が上記設定値以上であると判断されると、上記操作キー位置判断部によって判断された上記操作キーに、上記選択マークを付して表示する選択マーク表示部と
を備えることを特徴とする情報表示装置。
【請求項４】
請求項１から３の何れか一つに記載の情報表示装置において、
上記圧力センサに加えられる上記指の圧力が上記設定値よりも大きな第１閾値を超えると、上記選択マークの上記指の押圧方向の移動速度を増大する一方、上記指の圧力が上記第１閾値を下回ると、上記選択マークの上記指の押圧方向の移動速度を減少する選択マーク移動速度変更部を
備えることを特徴とする情報表示装置。
【請求項５】
筺体の側面に配置される圧力センサに指から圧力が加えられたとき、上記圧力センサからの信号に基づいて、上記指の圧力を求める指圧力検出工程と、
上記指圧力検出工程によって求められた上記指の圧力が、予め定められた設定値以上であるか否かを判断する指圧力判断工程と、
上記指圧力判断工程によって上記指の圧力が上記設定値以上であると判断されているとき、表示部に表示される複数の操作キーのうちの一つの操作キーに付されてこの一つの操作キーが選択されていることを示す選択マークを、現在付されている操作キーから、上記指の押圧方向に位置する操作キーに、移動させる選択マーク押圧方向移動工程と、
上記選択マークによって上記操作キーが選択された状態で、上記指圧力判断工程によって上記指の圧力が上記設定値よりも小さいと判断されたとき、上記選択された操作キーに対応する処理を実行する選択マーク実行工程と
を備えることを特徴とする情報表示方法。
【発明の詳細な説明】
【技術分野】
【０００１】
この発明は、例えば、電子辞書、携帯電話、携帯情報端末（PDA: Personal Digital Assistant）等の情報表示装置および情報表示方法に関する。
【背景技術】
【０００２】
従来、情報表示装置としては、特開２０１０−２６２５５７号公報（特許文献１）に記載されたものがある。この情報表示装置は、筺体と、この筺体の表面に配置される静電式タッチパネルと、この筺体の側面に配置される静電式タッチセンサとを備える。
【０００３】
そして、ユーザが指で静電式タッチセンサに接触すると、その接触が、静電式タッチセンサの静電容量の変化という形態で検出される。この静電式タッチセンサにより検出された指の接触位置に基づいて、ジェスチャ操作が検出され、このジェスチャ操作に対応するインタラクション処理が実行される。このように、静電式タッチパネルに依存することなくジェスチャ操作を実現できる。
【先行技術文献】
【特許文献】
【０００４】
【特許文献１】特開２０１０−２６２５５７号公報
【発明の概要】
【発明が解決しようとする課題】
【０００５】
しかしながら、上記従来の情報表示装置では、静電式タッチパネルおよび静電式タッチセンサは、静電容量方式を採用しているため、ユーザは、手袋をはめたままでは、静電式タッチパネルおよび静電式タッチセンサを使用できない。
【０００６】
このため、手袋をはめて作業をおこなう仕事に就いているユーザは、この情報表示装置を使用するたびに、手袋を外さなければならず、面倒であった。
【０００７】
一方、静電式タッチパネルや静電式タッチセンサを操作可能な手袋は、市場に、存在しているが、このような手袋は、防寒用を想定したものが多く、作業には向いていない。
【０００８】
また、一般的な携帯端末において、通常操作、通話、メール、ブラウザは必須であり、従来のジェスチャを使用する方法では、この携帯端末の操作を行うことは、難しい。
【０００９】
そこで、この発明の課題は、操作の際に手袋を外す手間がなく、同一の操作で複数種類の処理を実行できる情報表示装置を提供することにある。
【課題を解決するための手段】
【００１０】
上記課題を解決するため、この発明の情報表示装置は、
筺体と、
上記筺体の表面に配置されると共に、複数の操作キーを表示する表示部と、
上記筺体の側面に配置される圧力センサと、
上記圧力センサに指から圧力が加えられたとき、上記圧力センサからの信号に基づいて、上記指の圧力を求める指圧力検出部と、
上記指圧力検出部によって求められた上記指の圧力が、予め定められた設定値以上であるか否かを判断する指圧力判断部と、
上記指圧力判断部によって上記指の圧力が上記設定値以上であると判断されているとき、上記複数の操作キーのうちの一つの操作キーに付されてこの一つの操作キーが選択されていることを示す選択マークを、現在付されている操作キーから、上記指の押圧方向に位置する操作キーに、移動させる選択マーク押圧方向移動部と、
上記選択マークによって操作キーが選択された状態で、上記指圧力判断部によって上記指の圧力が上記設定値よりも小さいと判断されたとき、上記選択された操作キーに対応する処理を実行する選択マーク実行部と
を備えることを特徴としている。
【００１１】
また、一実施形態の情報表示装置では、
上記指圧力判断部によって上記指の圧力が上記設定値以上であると判断されているとき、上記指を上記筺体の側面に沿って上記圧力センサ上で移動させると、上記選択マークを、現在の操作キーから、上記指の上記筺体側面に沿った移動方向に位置する操作キーに、移動させる選択マーク側面方向移動部を
備える。
【００１２】
また、一実施形態の情報表示装置では、
上記圧力センサに指から圧力が加えられたとき、上記圧力センサからの信号に基づいて、上記指の上記筺体側面に沿った方向の位置を求める指位置検出部と、
上記指位置検出部によって求められた上記指の位置に対応する位置にある操作キーを判断する操作キー位置判断部と、
上記指圧力判断部によって上記指の圧力が上記設定値以上であると判断されると、上記操作キー位置判断部によって判断された上記操作キーに、上記選択マークを付して表示する選択マーク表示部と
を備える。
【００１３】
また、一実施形態の情報表示装置では、
上記圧力センサに加えられる上記指の圧力が上記設定値よりも大きな第１閾値を超えると、上記選択マークの上記指の押圧方向の移動速度を増大する一方、上記指の圧力が上記第１閾値を下回ると、上記選択マークの上記指の押圧方向の移動速度を減少する選択マーク移動速度変更部を
備える。
【００１４】
また、この発明の情報表示方法は、
筺体の側面に配置される圧力センサに指から圧力が加えられたとき、上記圧力センサからの信号に基づいて、上記指の圧力を求める指圧力検出工程と、
上記指圧力検出工程によって求められた上記指の圧力が、予め定められた設定値以上であるか否かを判断する指圧力判断工程と、
上記指圧力判断工程によって上記指の圧力が上記設定値以上であると判断されているとき、表示部に表示される複数の操作キーのうちの一つの操作キーに付されてこの一つの操作キーが選択されていることを示す選択マークを、現在付されている操作キーから、上記指の押圧方向に位置する操作キーに、移動させる選択マーク押圧方向移動工程と、
上記選択マークによって上記操作キーが選択された状態で、上記指圧力判断工程によって上記指の圧力が上記設定値よりも小さいと判断されたとき、上記選択された操作キーに対応する処理を実行する選択マーク実行工程と
を備えることを特徴としている。
【発明の効果】
【００１５】
この発明の情報表示装置によれば、圧力センサ、指圧力検出部、指圧力判断部、選択マーク押圧方向移動部および選択マーク実行部を備えるので、操作の際に手袋を外す手間がなく、同一の操作で複数種類の処理を実行できる。
【００１６】
この発明の情報表示方法によれば、指圧力検出工程、指圧力判断工程、選択マーク押圧方向移動工程および選択マーク実行工程を備えるので、操作の際に手袋を外す手間がなく、同一の操作で複数種類の処理を実行できる。
【図面の簡単な説明】
【００１７】
【図１】本発明の第１実施形態の情報表示装置を示す外観図である。
【図２】情報表示装置の構成を示すブロック図である。
【図３Ａ】情報表示装置の動作を示すフローチャートである。
【図３Ｂ】情報表示装置の動作を示すフローチャートである。
【図３Ｃ】情報表示装置の動作を示すフローチャートである。
【図４Ａ】情報表示装置の動作を示す説明図である。
【図４Ｂ】情報表示装置の動作を示す説明図である。
【図４Ｃ】情報表示装置の動作を示す説明図である。
【図４Ｄ】情報表示装置の動作を示す説明図である。
【図４Ｅ】情報表示装置の動作を示す説明図である。
【図４Ｆ】情報表示装置の動作を示す説明図である。
【図５Ａ】本発明の第２実施形態の情報表示装置の動作を示す説明図である。
【図５Ｂ】情報表示装置の動作を示す説明図である。
【図５Ｃ】情報表示装置の動作を示す説明図である。
【図５Ｄ】情報表示装置の動作を示す説明図である。
【図５Ｅ】情報表示装置の動作を示す説明図である。
【図５Ｆ】情報表示装置の動作を示す説明図である。
【図５Ｇ】情報表示装置の動作を示す説明図である。
【図５Ｈ】情報表示装置の動作を示す説明図である。
【図５Ｉ】情報表示装置の動作を示す説明図である。
【図５Ｊ】情報表示装置の動作を示す説明図である。
【図５Ｋ】情報表示装置の動作を示す説明図である。
【図６Ａ】本発明の第３実施形態の情報表示装置の動作を示す説明図である。
【図６Ｂ】情報表示装置の動作を示す説明図である。
【図６Ｃ】情報表示装置の動作を示す説明図である。
【図６Ｄ】情報表示装置の動作を示す説明図である。
【図６Ｅ】情報表示装置の動作を示す説明図である。
【発明を実施するための形態】
【００１８】
以下、この発明を図示の実施の形態により詳細に説明する。
【００１９】
（第１の実施形態）
図１は、この発明の第１実施形態の情報表示装置を示す簡略図である。図１に示すように、情報表示装置は、筺体１と、この筺体１の表面に配置される表示部２とを有する。この情報表示装置は、スマートフォン（商品名）（以下、端末装置という）を示す。
【００２０】
上記表示部２は、タッチパネルであり、表示機能と入力機能とを有する。表示部２に表示されるアイコン等の操作キーを、指でタッチすることにより、操作可能となっている。
【００２１】
上記筺体１の右側面には、圧力センサ３が配置されている。圧力センサ３は、筺体１の側面に沿った帯状である。圧力センサ３は、ユーザの指の圧力と、ユーザの指の位置とを、検出する。
【００２２】
上記表示部２の下側には、通話用マイク５が配置され、表示部２の上側には、通話用スピーカ６が配置されている。
【００２３】
上記端末装置は、図２に示すように、上記タッチパネルへの指のタッチを検出する静電式タッチセンサ２１と、上記圧力センサ３と、制御手段１０と、上記表示部２とを有する。
【００２４】
上記制御手段１０は、上記静電式タッチセンサ２１、上記圧力センサ３等から信号を受け、種々の演算処理を行って、上記表示部２等に信号を出力する。
【００２５】
上記制御手段１０は、タッチセンサ入力処理部１１と、圧力センサ入力処理部１２と、ユーザ操作制御部１３とを有する。タッチセンサ入力処理部１１、圧力センサ入力処理部１２およびユーザ操作制御部１３は、ソフトウェアによって構成されている。
【００２６】
上記タッチセンサ入力処理部１１は、上記静電式タッチセンサ２１からの信号を処理する。つまり、タッチセンサ入力処理部１１は、タッチパネルへの指のタッチを判断し、この結果を、上記ユーザ操作制御部１３に出力する。
【００２７】
上記圧力センサ入力処理部１２は、上記圧力センサ３からの信号を処理する。つまり、圧力センサ入力処理部１２は、圧力センサ３への指の圧力および位置を判断し、この結果を、上記ユーザ操作制御部１３に出力する。
【００２８】
上記圧力センサ入力処理部１２は、指圧力検出部１２１と、指圧力判断部１２２と、指位置検出部１２３と、操作キー位置判断部１２４とを有する。
【００２９】
上記指圧力検出部１２１は、圧力センサ３に指から圧力が加えられたとき、圧力センサ３からの信号に基づいて、指の圧力を求める。上記指圧力判断部１２２は、上記指圧力検出部１２１によって求められた指の圧力が、予め定められた設定値以上であるか否かを判断する。
【００３０】
上記指位置検出部１２３は、圧力センサ３に指から圧力が加えられたとき、圧力センサ３からの信号に基づいて、指の筺体側面に沿った方向の位置を求める。上記操作キー位置判断部１２４は、上記指位置検出部１２３によって求められた指の位置に対応する位置にある操作キーを判断する。操作キーとは、例えば、アイコンや、メール作成時等に用いられる文字キーや、電話発信時等に用いられる数字キーである。
【００３１】
上記ユーザ操作制御部１３は、上記タッチセンサ入力処理部１１からの信号や、上記圧力センサ入力処理部１２からの信号に基づいて、操作キーに関する処理等を実行し、この処理状態等を表示部２に表示する。
【００３２】
上記ユーザ操作制御部１３は、選択マーク表示部１３１と、選択マーク水平方向移動部１３２と、選択マーク垂直方向移動部１３３と、選択マーク移動速度変更部１３４と、選択マーク実行部１３５と、選択マーク解除部１３６とを有する。選択マーク水平方向移動部１３２は、選択マーク押圧方向移動部の一例であり、選択マーク垂直方向移動部１３３は、選択マーク側面方向移動部の一例である。
【００３３】
上記選択マーク表示部１３１は、上記指圧力判断部１２２によって指の圧力が設定値以上であると判断されると、上記操作キー位置判断部１２４によって判断された操作キーに、選択マークを付して表示する。この選択マークは、複数の操作キーのうちの一つの操作キーに付されてこの一つの操作キーが選択されていることを示す。
【００３４】
上記選択マーク水平方向移動部１３２は、上記指圧力判断部１２２によって指の圧力が設定値以上であると判断され、この指の押圧時間が一定時間以上継続すると、選択マークを、現在付されている操作キーから、指の押圧方向に位置する操作キーに、移動させる。指の押圧方向とは、筺体１の側面に直交する方向であり、端末装置の操作状態では、水平方向である。
【００３５】
上記選択マーク垂直方向移動部１３３は、上記指圧力判断部１２２によって指の圧力が設定値以上であると判断されているとき、指を筺体１の側面に沿って圧力センサ３上で移動させると、選択マークを、現在の操作キーから、指の筺体側面に沿った移動方向に位置する操作キーに、移動させる。指の筺体側面に沿った移動方向とは、筺体１の側面に平行な方向であり、端末装置の操作状態では、垂直方向である。
【００３６】
上記選択マーク移動速度変更部１３４は、上記圧力センサ３に加えられる指の圧力が設定値よりも大きな第１閾値を超えると、選択マークの指の押圧方向の移動速度を増大する一方、指の圧力が第１閾値を下回ると、選択マークの指の押圧方向の移動速度を減少する。
【００３７】
上記選択マーク実行部１３５は、選択マークによって操作キーが選択された状態で、上記指圧力判断部１２２によって指の圧力が設定値よりも小さいと判断されたとき、選択された操作キーに対応する処理を実行する。
【００３８】
上記選択マーク解除部１３６は、指の押圧方向の最端に位置する操作キーに選択マークが付された状態で、上記指圧力判断部１２２によって指の圧力が設定値以上であると判断され、この指の押圧時間が一定時間以上継続すると、選択マークを解除する。
【００３９】
上記構成の端末装置は、図３Ａ、３Ｂ、３Ｃに示すように、動作する。
【００４０】
ユーザが、指で圧力センサ３を、押圧すると、上記指圧力判断部１２２は、圧力センサ３からの入力により、指の圧力が設定値以上であるか否かを判断する（ステップＳ１）。圧力センサ３に設定値以上の圧力が加えられていると、上記指位置検出部１２３は、圧力センサ３上の指の位置を計測する（ステップＳ２）。そして、上記操作キー位置判断部１２４は、圧力センサ３上で圧力がかかっている箇所にマッピングされたアイコンがあるかを、判断する（ステップＳ３）。アイコンは、操作キーの一例である。そして、圧力センサ３上の指の位置に対応する位置にアイコンがあると、選択マーク表示部１３１は、圧力センサ３側の右端のアイコンに選択マークを付す（ステップＳ４）。
【００４１】
具体的に述べると、図４Ａに示すように、圧力センサ３は、アイコンｉの縦方向の数と、マッピングされる。アイコンｉは、アプリのアイコンであり、図中、「App A」〜「App L」と表す。圧力センサ３を指Ｆで触れて設定値以上の圧力を加えると、触れた箇所に対応する行の右端のアイコン「App F」に、選択マークＭが付される。ここで、指Ｆを上下に動かすことで、選択マーク垂直方向移動部１３３により、右端のアイコンｉに付された選択マークＭが、上下に移動する。
【００４２】
その後、圧力センサ３に継続的に設定値以上の圧力が加えられ（ステップＳ５）、一番左端のアイコンに選択マークが移動していない状態で（ステップＳ８）、圧力センサ３に対してさらに加圧もせず（ステップＳ１１）かつさらに減圧もしない場合（ステップＳ１２）、上記選択マーク水平方向移動部１３２は、指の押圧方向である１つ左側のアイコンに選択マークを移動して（ステップＳ１３）、ステップＳ５に戻る。
【００４３】
ステップＳ１１で、圧力センサ３に設定値よりも大きな第１閾値を超える圧力を加えると、上記選択マーク移動速度変更部１３４は、選択マークの移動速度を速くする（ステップＳ１４）。一方、ステップＳ１２で、圧力センサ３に第１閾値を下回る圧力を加えると、上記選択マーク移動速度変更部１３４は、選択マークの移動速度を遅くする（ステップＳ１５）。この第１閾値とは、例えば、選択マーク表示部１３１により選択マークを表示する際に圧力センサ３に加えられる圧力をいう。
【００４４】
具体的に述べると、図４Ａに示すように、右端のアイコン「App F」に選択マークＭが付された状態で、圧力センサ３にかけている圧力を維持することで、図４Ｂに示すように、選択マークＭが左側のアイコン「App E」に移動する。
【００４５】
その後、ステップＳ５で、圧力センサ３に継続的に設定値以上の圧力が加えられず、圧力センサ３からの入力がなくなると（ステップＳ６）、上記選択マーク実行部１３５は、選択マークを付しているアイコンに関連づいたアプリを起動する（ステップＳ７）。ステップＳ６では、圧力センサ３に加えられる圧力が設定値よりも小さくなればよく、例えば、指が圧力センサ３から離れることで、圧力センサ３からの入力がなくなる。ステップＳ６で、圧力センサ３からの入力がなくならなければ、選択マークをアイコンに付したまま待機して（ステップＳ１０）、ステップＳ５に戻る。
【００４６】
具体的に述べると、図４Ｃに示すように、起動したいアイコン「App E」まで選択マークＭを移動したら、指Ｆを圧力センサ３から離す。すると、図４Ｄに示すように、選択したアイコン「App E」のアプリが起動する。
【００４７】
ステップＳ８で、一番左端のアイコンに選択マークが移動しており、圧力センサ３に設定値以上の圧力が継続して加えられると、上記選択マーク解除部１３６は、選択マークを解除し、選択マークによるアイコンの選択をキャンセルする（ステップＳ９）。
【００４８】
具体的に述べると、図４Ｅに示すように、一番左端のアイコン「App D」まで選択マークＭを移動した状態で、圧力センサ３に加える圧力を維持する。すると、図４Ｆに示すように、選択マークＭが消滅し、選択マークＭによるアイコンの選択がキャンセルされる。その後、一度指Ｆを圧力センサ３から離して、再度圧力センサ３を加圧することで、図４Ａに示す状態となる。
【００４９】
上記構成の端末装置によれば、上記圧力センサ３、上記指圧力判断部１２２、上記選択マーク水平方向移動部１３２および上記選択マーク実行部１３５を備えるので、ユーザは、手袋をはめたままでも、所望のアイコン（操作キー）を選択しこのアイコンを実行できて、操作の際に手袋を外す手間がない。また、圧力センサ３を指で押圧して圧力センサ３から指を離すだけの同一の操作で、複数の種類のアイコンを選択して実行できる。
【００５０】
また、上記選択マーク垂直方向移動部１３３を備えるので、ユーザは、指で圧力センサ３上を筺体１の側面に沿った方向に移動させることで、選択マークを、筺体１の側面に沿った方向に位置するアイコンに、移動できる。
【００５１】
また、上記指位置検出部１２３および上記操作キー位置判断部１２４を備えるので、ユーザは、予め、筺体側面に沿った方向の所望のアイコンに、選択マークを付して表示できる。
【００５２】
また、上記選択マーク移動速度変更部１３４を備えるので、ユーザは、圧力センサ３に加える指の圧力を増減することで、選択マークの指の押圧方向の移動速度を、簡単に増減できる。
【００５３】
（第２の実施形態）
図５Ａ〜図５Ｋは、この発明の第２実施形態の情報表示装置の動作を示す説明図である。この第２実施形態では、操作キーとして、メール作成時に用いられる文字キーを用いている。この第２実施形態に示す動作は、上記第１実施形態の図２の構成と同様の構成によって、行われる。
【００５４】
図５Ａに示すように、圧力センサ３は、文字キーｗの縦方向の数と、マッピングされる。文字キーｗは、メール作成（文字入力）に用いられる文字ソフトキーであり、図中、「あ」〜「わ」等と表す。圧力センサ３を指Ｆで触れて設定値以上の圧力を加えると、上記指圧力判断部１２２、上記指位置検出部１２３および上記操作キー位置判断部１２４によって、触れた箇所に対応する行の右端の文字キー「ら」に、選択マークＭが付される。ここで、指Ｆを上下に動かすことで、上記選択マーク垂直方向移動部１３３により、右端の文字キーｗに付された選択マークＭが、上下に移動する。
【００５５】
そして、右端の文字キー「ら」に選択マークＭが付された状態で、圧力センサ３にかけている圧力を維持することで、上記選択マーク水平方向移動部１３２によって、図５Ｂに示すように、選択マークＭが左側の文字キー「ま」に移動する。ここで、上記選択マーク移動速度変更部１３４によって、選択マークＭの移動速度を増減できる。
【００５６】
その後、文字キー「ま」に選択マークＭが付された状態で、図５Ｃに示すように、指Ｆを圧力センサ３から離す。すると、上記選択マーク実行部１３５によって、文字キー「ま」に対応する処理が実行される。つまり、先頭文字の子音と各母音の組み合わせ「ま」〜「も」が、表示される。
【００５７】
そして、図５Ｄに示すように、圧力センサ３は、文字キー「ま」〜「も」の縦方向の数と、マッピングされる。圧力センサ３を指Ｆで触れて設定値以上の圧力を加えると、上記指圧力判断部１２２、上記指位置検出部１２３および上記操作キー位置判断部１２４によって、触れた箇所に対応する行の文字キー「み」に、選択マークＭが付される。ここで、指Ｆを上下に動かすことで、上記選択マーク垂直方向移動部１３３により、文字キーｗに付された選択マークＭが、上下に移動する。
【００５８】
その後、文字キー「み」に選択マークＭが付された状態で、図５Ｅに示すように、指Ｆを圧力センサ３から離す。すると、上記選択マーク実行部１３５によって、文字キー「み」に対応する処理が実行される。つまり、図５Ｆに示すように、文字「み」の入力が行われる。ここで、図５Ｅに示すように、指Ｆを圧力センサ３から離す前に、圧力センサ３に加える圧力を維持すると、上記選択マーク解除部１３６によって、選択マークＭが消滅し、選択マークＭによる文字キーの選択がキャンセルされる。
【００５９】
そして、図５Ａ〜図５Ｆの操作を繰り返して、メールの入力を行う。メールの入力を終えた後、図５Ｇに示すように、文字キー「send」に選択マークＭを付して、指Ｆを圧力センサ３から離す。すると、文字キー「send」に対応する処理が実行される。つまり、図５Ｈに示すように、メールが送信される。
【００６０】
なお、図５Ｄに示すように、文字キー「み」に選択マークＭを付した状態で、圧力センサ３に加える圧力を増大することで、文字が、カタカナ表示に変化する。一方、圧力センサ３に加える圧力を減少することで、文字が、ひらがら表示に戻る。
【００６１】
また、拗音や擬音があるひらがなに関しては、圧力センサ３に加える圧力を増大してカタカナ表示になった後、さらに圧力を増大することで拗音／擬音表示になる。つまり、図５Ｊに示すように、拗音があるひらがな「や」「ゆ」「よ」を表示した状態で、圧力センサ３に加える圧力を増大していくことで、図５Ｋに示すように、拗音「ゃ」「ゅ」「ょ」を表示することができる。また、拗音表示になった状態で、圧力センサ３に加える圧力を減少することで、カタカナ表示、ひらがな表示の順に、戻すことができる。
【００６２】
（第３の実施形態）
図６Ａ〜図６Ｅは、この発明の第３実施形態の情報表示装置の動作を示す説明図である。この第３実施形態では、操作キーとして、電話発信時に用いられる数字キーを用いている。この第３実施形態に示す動作は、上記第１実施形態の図２の構成と同様の構成によって、行われる。
【００６３】
図６Ａに示すように、圧力センサ３は、数字キーｎの縦方向の数と、マッピングされる。数字キーｎは、電話発信に用いられる番号ソフトキーであり、図中、「１」〜「０」等と表す。圧力センサ３を指Ｆで触れて設定値以上の圧力を加えると、上記指圧力判断部１２２、上記指位置検出部１２３および上記操作キー位置判断部１２４によって、触れた箇所に対応する行の右端の数字キー「♯」に、選択マークＭが付される。ここで、指Ｆを上下に動かすことで、上記選択マーク垂直方向移動部１３３により、右端の数字キーｎに付された選択マークＭが、上下に移動する。
【００６４】
そして、右端の数字キー「♯」に選択マークＭが付された状態で、圧力センサ３にかけている圧力を維持することで、上記選択マーク水平方向移動部１３２によって、図６Ｂに示すように、選択マークＭが左側の数字キー「０」に移動する。ここで、上記選択マーク移動速度変更部１３４によって、選択マークＭの移動速度を増減できる。
【００６５】
その後、数字キー「０」に選択マークＭが付された状態で、図６Ｃに示すように、指Ｆを圧力センサ３から離す。すると、上記選択マーク実行部１３５によって、数字キー「０」に対応する処理が実行される。つまり、数字「０」の入力が行われる。
【００６６】
そして、図６Ａ〜図６Ｃの操作を繰り返して、電話番号の入力を行う。電話番号の入力を終えた後、図６Ｄに示すように、数字キー「Tel」に選択マークＭを付して、指Ｆを圧力センサ３から離す。すると、数字キー「Tel」に対応する処理が実行される。つまり、図６Ｅに示すように、電話の発信が行われる。
【００６７】
なお、上記選択マーク解除部１３６によって、選択マークＭを消滅し、選択マークＭによる数字キーの選択をキャンセルするようにしてもよい。
【００６８】
なお、この発明は上述の実施形態に限定されない。例えば、上記第１から上記第３の実施形態のそれぞれの特徴点を様々に組み合わせてもよい。
【００６９】
上記実施形態では、圧力センサ３を筺体１の右側面に配置したが、圧力センサ３を筺体１の左側面、上側面または下側面に配置してもよい。圧力センサ３を上側面または下側面に配置した場合、選択マーク押圧方向移動部は、選択マークを筺体１に対して垂直方向に移動し、選択マーク側面方向移動部は、選択マークを筺体１に対して水平方向に移動する。
【００７０】
上記実施形態では、圧力センサ３を一つ設けたが、圧力センサ３を複数設け、この複数の圧力センサ３を、筺体１の右、左、上、下側面の少なくとも一つの側面に配置してもよい。
【００７１】
上記実施形態では、指位置検出部、操作キー位置判断部、選択マーク表示部、選択マーク側面方向移動部、選択マーク移動速度変更部、および、選択マーク解除部を設けたが、これらの少なくとも一つを省略するようにしてもよい。
【００７２】
上記実施形態では、情報表示装置として、スマートフォンを説明したが、パソコンや、電子辞書や、携帯電話や、携帯情報端末（PDA: Personal Digital Assistant）等の情報表示装置であってもよい。
【００７３】
なお、本発明の情報表示方法として、上記実施形態で説明した上記情報表示装置の動作と同じであり、指圧力検出工程（つまり、指圧力検出部）と、指圧力判断工程（つまり、指圧力判断部）と、選択マーク押圧方向移動工程（つまり、選択マーク押圧方向移動部）と、選択マーク実行工程（つまり、選択マーク実行部）とを備える。これにより、上記実施形態で説明した上記情報表示装置の効果と同じ効果を奏する。
【００７４】
この発明の情報表示装置は、
筺体１と、
上記筺体１の表面に配置されると共に、複数の操作キーを表示する表示部２と、
上記筺体１の側面に配置される圧力センサ３と、
上記圧力センサ３に指から圧力が加えられたとき、上記圧力センサ３からの信号に基づいて、上記指の圧力を求める指圧力検出部１２１と、
上記指圧力検出部１２１によって求められた上記指の圧力が、予め定められた設定値以上であるか否かを判断する指圧力判断部１２２と、
上記指圧力判断部１２２によって上記指の圧力が上記設定値以上であると判断されているとき、上記複数の操作キーのうちの一つの操作キーに付されてこの一つの操作キーが選択されていることを示す選択マークを、現在付されている操作キーから、上記指の押圧方向に位置する操作キーに、移動させる選択マーク押圧方向移動部１３２と、
上記選択マークによって操作キーが選択された状態で、上記指圧力判断部１２２によって上記指の圧力が上記設定値よりも小さいと判断されたとき、上記選択された操作キーに対応する処理を実行する選択マーク実行部１３５と
を備えることを特徴としている。
【００７５】
ここで、操作キーとは、例えば、アイコンや、メール作成時等に用いられる文字キーや、電話発信時等に用いられる数字キーである。
【００７６】
この発明の情報表示装置によれば、ユーザが、指で圧力センサ３を、設定値以上の圧力で押圧すると、指圧力判断部１２２は、指の圧力が設定値以上であると判断する。そして、選択マーク押圧方向移動部１３２は、選択マークを、現在付されている操作キーから、指の押圧方向に位置する操作キーに移動させる。
【００７７】
そして、ユーザは、所望の操作キーを選択した後、圧力センサ３から指を離すと、指圧力判断部１２２は、指の圧力が設定値よりも小さいと判断する。そして、選択マーク実行部１３５は、この選択された操作キーに対応する処理を実行する。
【００７８】
したがって、ユーザは、手袋をはめたままでも、所望の操作キーを選択しこの操作キーを実行できて、操作の際に手袋を外す手間がない。また、圧力センサ３を指で押圧して圧力センサ３から指を離すだけの同一の操作で、複数の種類の操作キーを選択して実行できる。
【００７９】
また、一実施形態の情報表示装置では、
上記指圧力判断部１２２によって上記指の圧力が上記設定値以上であると判断されているとき、上記指を上記筺体１の側面に沿って上記圧力センサ３上で移動させると、上記選択マークを、現在の操作キーから、上記指の上記筺体１側面に沿った移動方向に位置する操作キーに、移動させる選択マーク側面方向移動部１３３を
備える。
【００８０】
この実施形態の情報表示装置によれば、選択マーク側面方向移動部１３３を備えるので、ユーザは、指で圧力センサ３上を筺体１の側面に沿った方向に移動させることで、選択マークを、筺体１の側面に沿った方向に位置する操作キーに、移動できる。
【００８１】
また、一実施形態の情報表示装置では、
上記圧力センサ３に指から圧力が加えられたとき、上記圧力センサ３からの信号に基づいて、上記指の上記筺体１側面に沿った方向の位置を求める指位置検出部１２３と、
上記指位置検出部１２３によって求められた上記指の位置に対応する位置にある操作キーを判断する操作キー位置判断部１２４と、
上記指圧力判断部１２２によって上記指の圧力が上記設定値以上であると判断されると、上記操作キー位置判断部１２４によって判断された上記操作キーに、上記選択マークを付して表示する選択マーク表示部１３１と
を備える。
【００８２】
この実施形態の情報表示装置によれば、ユーザは、複数の操作キーのうち、筺体１側面に沿った方向の所望の操作キーに、選択マークを付して表示させようとすると、その所望の操作キーに対応する圧力センサ３の部分を、押圧する。すると、操作キー位置判断部１２４は、その所望の操作キーを判断して、選択マーク表示部１３１は、その所望の操作キーに、選択マークを付して表示する。このように、ユーザは、予め、筺体１側面に沿った方向の所望の操作キーに、選択マークを付して表示できる。
【００８３】
また、一実施形態の情報表示装置では、
上記圧力センサ３に加えられる上記指の圧力が上記設定値よりも大きな第１閾値を超えると、上記選択マークの上記指の押圧方向の移動速度を増大する一方、上記指の圧力が上記第１閾値を下回ると、上記選択マークの上記指の押圧方向の移動速度を減少する選択マーク移動速度変更部１３４を
備える。
【００８４】
この実施形態の情報表示装置によれば、選択マーク移動速度変更部１３４を備えるので、ユーザは、圧力センサ３に加える指の圧力を増減することで、選択マークの指の押圧方向の移動速度を、簡単に増減できる。
【００８５】
また、この発明の情報表示方法は、
筺体１の側面に配置される圧力センサ３に指から圧力が加えられたとき、上記圧力センサ３からの信号に基づいて、上記指の圧力を求める指圧力検出工程と、
上記指圧力検出工程によって求められた上記指の圧力が、予め定められた設定値以上であるか否かを判断する指圧力判断工程と、
上記指圧力判断工程によって上記指の圧力が上記設定値以上であると判断されているとき、表示部２に表示される複数の操作キーのうちの一つの操作キーに付されてこの一つの操作キーが選択されていることを示す選択マークを、現在付されている操作キーから、上記指の押圧方向に位置する操作キーに、移動させる選択マーク押圧方向移動工程と、
上記選択マークによって上記操作キーが選択された状態で、上記指圧力判断工程によって上記指の圧力が上記設定値よりも小さいと判断されたとき、上記選択された操作キーに対応する処理を実行する選択マーク実行工程と
を備えることを特徴としている。
【００８６】
この発明の情報表示方法によれば、ユーザが、指で圧力センサ３を、設定値以上の圧力で押圧すると、指圧力判断工程は、指の圧力が設定値以上であると判断する。そして、選択マーク押圧方向移動工程は、選択マークを、現在付されている操作キーから、指の押圧方向に位置する操作キーに移動させる。
【００８７】
そして、ユーザは、所望の操作キーを選択した後、圧力センサ３から指を離すと、指圧力判断工程は、指の圧力が設定値よりも小さいと判断する。そして、選択マーク実行工程は、この選択された操作キーに対応する処理を実行する。
【００８８】
したがって、ユーザは、手袋をはめたままでも、所望の操作キーを選択しこの操作キーを実行できて、操作の際に手袋を外す手間がない。また、圧力センサ３を指で押圧して圧力センサ３から指を離すだけの同一の操作で、複数の種類の操作キーを選択して実行できる。
【符号の説明】
【００８９】
１  筺体
２  表示部
３  圧力センサ
１０  制御手段
１２  圧力センサ入力処理部
１２１  指圧力検出部
１２２  指圧力判断部
１２３  指位置検出部
１２４  操作キー位置判断部
１３  ユーザ操作制御部
１３１  選択マーク表示部
１３２  選択マーク水平方向移動部（選択マーク押圧方向移動部）
１３３  選択マーク垂直方向移動部（選択マーク側面方向移動部）
１３４  選択マーク移動速度変更部
１３５  選択マーク実行部
１３６  選択マーク解除部
ｉ  アイコン（操作キー）
ｗ  文字キー（操作キー）
ｎ  数字キー（操作キー）
Ｍ  選択マーク
【図１】
2014095942.tif 000003
【図２】
2014095942.tif 000004
【図３Ａ】
2014095942.tif 000005
【図３Ｂ】
2014095942.tif 000006
【図３Ｃ】
2014095942.tif 000007
【図４Ａ】
2014095942.tif 000008
【図４Ｂ】
2014095942.tif 000009
【図４Ｃ】
2014095942.tif 000010
【図４Ｄ】
2014095942.tif 000011
【図４Ｅ】
2014095942.tif 000012
【図４Ｆ】
2014095942.tif 000013
【図５Ａ】
2014095942.tif 000014
【図５Ｂ】
2014095942.tif 000015
【図５Ｃ】
2014095942.tif 000016
【図５Ｄ】
2014095942.tif 000017
【図５Ｅ】
2014095942.tif 000018
【図５Ｆ】
2014095942.tif 000019
【図５Ｇ】
2014095942.tif 000020
【図５Ｈ】
2014095942.tif 000021
【図５Ｉ】
2014095942.tif 000022
【図５Ｊ】
2014095942.tif 000023
【図５Ｋ】
2014095942.tif 000024
【図６Ａ】
2014095942.tif 000025
【図６Ｂ】
2014095942.tif 000026
【図６Ｃ】
2014095942.tif 000027
【図６Ｄ】
2014095942.tif 000028
【図６Ｅ】
2014095942.tif 000029